(57)【特許請求の範囲】
【請求項１】
軸筒を構成する軸筒本体と、前記軸筒本体の前方に固定された先口体と、筆記芯を繰り出すチャックを有した芯繰出ユニットと、前記先口体の内部に配設され該先口体から先端部を突出させた摺動体とを備え、前記チャックの前方部には外鍔を有しており、前記摺動体の後方部には前記外鍔に係止する内鍔を有しており、前記軸筒本体は、前方領域に押圧部を有しており、前記摺動体は、後方領域に被押圧部を有しており、前記押圧部と前記被押圧部との少なくとも一方は、軸方向後方に向かって次第に小径となるテーパー面であり、前記摺動体が前記軸筒本体に対して傾動する前においては、前記芯繰出ユニットの絞めリングが前記チャックを絞めており、前記摺動体が前記軸筒本体に対して傾動する際には、前記押圧部が前記被押圧部を前進させることで前記内鍔が前記外鍔を前方へ牽引し、前記チャックが前記絞めリングから開放されることを特徴としたシャープペンシル。
【発明の詳細な説明】
【技術分野】
【０００１】
本発明は、軸筒の内部に収容した筆記芯を該軸筒より繰り出して先端部から突出させた状態で使用するシャープペンシルに関したものである。
【背景技術】
【０００２】
筆記芯の前端部を軸筒の先端部から突出させて使用するシャープペンシルでは、軸筒の先端部から突出させる筆記芯の前端部が長ければ長いほど、あるいは筆圧が高ければ高いほど、軸筒の先端部より突出した筆記芯の前端部に負担が掛かって折れやすいという問題が存在する。
この問題を解決しようとするシャープペンシルが、例えば特許文献１や特許文献２に記載されている。
【０００３】
前記特許文献１では、チャックに挟持された筆記芯に、軸筒の軸心に沿った後方への過大な筆圧が掛かった際、その押圧力を軸筒内に配設した緩衝スプリングにて緩衝して芯折れを防止する構造のシャープペンシルが記載されている。
この構造では、シャープペンシルの軸筒を立てて筆記する場合の筆圧に対しては、軸心に沿った方向に伸び縮みする緩衝スプリングが有効に機能するが、一般的に使用者は紙面に対し軸筒を傾けて筆記を行うため、緩衝スプリングが有効に機能せず、芯折れを防止しきれないことがある。
【０００４】
前記特許文献２では、筆記芯に軸心と沿った後方への過大な筆圧が掛かった際は、前記特許文献１と同様に筆記芯がホルダー内に没入することで保護され、軸筒を紙面に対して傾けて筆記することによりチャックに挟持された筆記芯に軸筒の軸心に対する斜めの筆圧が掛かった際には、ホルダーが軸筒の前方へ移動して筆記芯を保護する構造のシャープペンシルが記載されている。
【０００５】
前記特許文献１及び前記特許文献２の構造では、筆記芯に筆圧が掛かることで当該芯を介して芯折れを防止する機能が働き、筆記芯がチャックに挟持された状態で、筆記芯の側面に当接する部材（特許文献１では芯ガイドパイプ、特許文献２ではホルダー）に対して筆記芯の側面が擦れる構造であるため、何度も繰り返して芯折れを防止する機能が働くことで、使用者が知らない内に芯の側面が削れて細くなり、結果的に芯が折れやすくなる場合があった。
【先行技術文献】
【特許文献】
【０００６】
【特許文献１】実開昭５６−１３０８７４号公報
【特許文献２】特開２０１５−１２３６８９号公報
【発明の概要】
【発明が解決しようとする課題】
【０００７】
本発明は、前記問題を鑑みてなされたものであって、軸筒を紙面に対して傾けて筆記することによりチャックに挟持された筆記芯に軸筒の軸心に対する斜めの筆圧が掛かった際に芯折れ防止機能が作動すると共に、使用者が芯折れ防止機能が作動した状況を認識することが可能なシャープペンシルを得ることを目的とする。
【課題を解決するための手段】
【０００８】
本発明は、
「軸筒を構成する軸筒本体と、前記軸筒本体の前方に固定された先口体と、筆記芯を繰り出すチャックを有した芯繰出ユニットと、前記先口体の内部に配設され該先口体から先端部を突出させた摺動体とを備え、前記チャックの前方部には外鍔を有しており、前記摺動体の後方部には前記外鍔に係止する内鍔を有しており、前記軸筒本体は、前方領域に押圧部を有しており、前記摺動体は、後方領域に被押圧部を有しており、前記押圧部と前記被押圧部との少なくとも一方は、軸方向後方に向かって次第に小径となるテーパー面であり、前記摺動体が前記軸筒本体に対して傾動する前においては、前記芯繰出ユニットの絞めリングが前記チャックを絞めており、前記摺動体が前記軸筒本体に対して傾動する際には、前記押圧部が前記被押圧部を前進させることで前記内鍔が前記外鍔を前方へ牽引し、前記チャックが前記絞めリングから開放されることを特徴としたシャープペンシル。」である。
【発明の効果】
【０００９】
本発明によれば、筆記芯に対して軸筒本体の軸心に対する斜めの筆圧が強く掛かった際に、押圧部または被押圧部のテーパー面によって軸筒本体の押圧部が摺動体の被押圧部を前進させることで、摺動体の内鍔がチャックの外鍔を前方へ牽引し、チャックが絞めリングから開放され、チャックに挟持されていた筆記芯が摺動体の先端部に没入して、使用者が芯折れ防止機能が作動した状況を認識することができ、また再筆記の際には、使用者が筆記芯を繰り出す操作を行うことから、芯折れ防止機能が自動的に何度も作動して筆記芯の側面が知らず知らずの内に削れて細くなることがないシャープペンシルを得ることができた。
【図面の簡単な説明】
【００１０】
【図１】本実施例のシャープペンシルの一部断面図である。
【図２】使用状態における要部断面図である。
【図３】芯折れ防止機能が作動した状態における要部断面図である。
【発明を実施するための形態】
【００１１】
以下、図面を参照して本実施例のシャープペンシルについて説明をする。
本実施例では、筆記芯が突出する方を前方と表現し、その反対側を後方と表現する。
尚、説明を分かりやすくするために、図面中の同様の部材、同様の部分については同じ符号を付してある。
【００１２】
以下、図１〜図３に基づいて本実施例のシャープペンシルを説明する。
シャープペンシル１の軸筒２は、軸筒本体３と、該軸筒本体３の前方に螺合した先口体４とを有している。
軸筒本体３の内部には、筆記芯５を繰り出すチャック６を有した芯繰出ユニット７が収容されており、芯繰出ユニット７の前方には、軸筒本体３に当接する摺動体８が配設されている。
軸筒本体３の前方部には、軸方向後方に向かって次第に小径となるテーパー面からなる押圧部３ａを形成し、摺動体８の後端部には、軸方向後方に向かって次第に小径となるテーパー面からなる被押圧部８ａを形成し、押圧部３ａと被押圧部８ａとが当接するようにしてある。
摺動体８は、先口体４の開口４ａからパイプ状の先端部８ｂを突出させており、内部に嵌着させた芯ホルダー９により筆記芯５を保持する。また摺動体８の後方部には内鍔８ｃを形成してあり、チャック６の前方部に形成した外鍔６ａに係止させている。
【００１３】
芯繰出ユニット７は、軸筒本体３の後端から突出させたノック体１０を押動することにより、ノック体１０に連結した芯タンク１１を介して作動する。芯タンク１１は、芯タンク１１の開口部１１ａに後方部１２ａを挿着した筒状の連結体１２を介して筆記芯５を挟持するチャック６と連結してあり、チャック６を、ノック体１０及び芯タンク１１の前後動に従動するようにしてある。
【００１４】
前記連結体１２は、前方部１２ｂを、前端に外段１３ａと内段１３ｂとを形成した中空の円筒部材１３の後方に形成した開口部１３ｃに挿通させており、円筒部材１３は、外側面に形成した突起部１３ｄと前記外段１３ａとの間に、軸筒本体３の前方内面に形成した内段３ｂを係止してある。
また、円筒部材１３の内段１３ｂと連結体１２の前端との間にはチャックスプリング１４を配設してあり、円筒部材１３の内鍔１３ｂに当接したチャックスプリング１４により連結体１２を後方へ弾発し、後端部６ｂが連結体１２の開口部１２ｃに嵌着されたチャック６の頭部６ｃを、円筒部材１３の内段１３ｂに当接した締めリング１５で締めて、筆記芯５が筆圧で後退しないよう挟持してある。本実施例のチャック６は、円筒部材１３の窓部１３ｅに遊嵌させており、頭部６ｃは三つに分割して筆記芯５を挟持できるようにしてある。
【００１５】
筆記芯５を摺動体８の先端部８ｂから繰り出す際には、ノック体１０の押動により前進した芯タンク１１で連結体１２及びチャック６を前進させ、チャック６の頭部６ｃに外嵌した締めリング１５が軸筒本体３の内面に形成した突部３ｃに当接してチャック６が開くまで筆記芯５を前進させて、摺動体８の先端部８ｂの開口から筆記芯５の前端部５ａを突出させることができる。
【００１６】
次に、本実施例のシャープペンシルの使用状態について説明する。
シャープペンシル１は、図２に示すように軸筒本体３を傾斜して紙面Ｓに筆記を行っている最中に、筆記芯５に対して軸筒本体３の軸心に対する斜めの筆圧が強く掛かった際には、図３に示すように軸筒本体３のテーパー面である押圧部３ａが摺動体８の同じくテーパー面である被押圧部８ａを相対的に前進させることで、摺動体８の内鍔８ｃがチャック６の外鍔６ａを前方へ牽引し、チャック６が絞めリング１５から開放され、チャック６に挟持されていた筆記芯５が摺動体８の先端部８ｂに没入して、筆記芯５の前端部５ａが折れることなく使用者が芯折れ防止機能が作動した状況を認識することができた。
尚、再筆記する際には、使用者はノック体１０を押動して筆記芯５を繰り出す操作を行うことから、強い筆圧で継続して筆記を行うことにはならず、知らず知らずの内に筆記芯５の側面が削れて細くなることはなかった。
【符号の説明】
【００１７】
１…シャープペンシル、２…軸筒、
３…軸筒本体、３ａ…押圧部、３ｂ…内段、３ｃ…突部、
４…先口体、４ａ…開口、
５…筆記芯、５ａ…前端部、
６…チャック、６ａ…外鍔、６ｂ…後端部、
６ｃ…頭部、
７…芯繰出ユニット、
８…摺動体、８ａ…被押圧部、８ｂ…先端部、
８ｃ…内鍔、
９…芯ホルダー、
１０…ノック体、
１１…芯タンク、１１ａ…開口部、
１２…連結体、１２ａ…後方部、１２ｂ…前方部、
１２ｃ…開口部、
１３…円筒部材、１３ａ…外段、１３ｂ…内段、
１３ｃ…開口部、１３ｄ…突起部、１３ｅ…窓部、
１４…チャックスプリング、
１５…締めリング、
Ｓ…紙面。
【図１】
0006532380.tif 000002
【図２】
0006532380.tif 000003
【図３】
0006532380.tif 000004